(57)【要約】【課題】  スペース効率のよい小荷物用昇降装置を提供すること。【解決手段】  建物の階上Ａと階下Ｂの間で小荷物の揚げ降ろしを行なう小荷物用昇降装置２１ａであって、建物の階上Ａに設置した装置本体２２の下部から建物の貫通孔２３を通して支持アーム２６，２６を階下Ｂへ延び出させ、支持アーム２６，２６の下部に装着した籠３１を階上Ａの装置本体２２から階下Ｂへ降ろすようにした。支持アーム２６，２６を退縮させて支持アーム２６，２６及び籠３１を階上Ａの装置本体２２に格納すると、建物の階下Ｂに何も残らず有効なスペースを生ぜしめる。【選択図】図１
2005162418.tif 000002
【特許請求の範囲】
【請求項１】
建物の階上と階下の間で小荷物の揚げ降ろしを行なう小荷物用昇降装置であって、建物の階上の床をくりぬいて階下に連通する貫通孔の上に設置した装置本体と、前記装置本体の下部から建物の貫通孔を通して階下へ延び出す伸縮自在な支持アームと、前記支持アームの下部に装着した籠と、前記装置本体に設けられ、前記支持アームを伸縮させる駆動手段とを備えた小荷物用昇降装置。
【請求項２】
前記装置本体に設けられ、前記支持アーム及び前記籠を格納する格納室と、前記格納室の一側方に設けられ、前記駆動手段を設置する機械室と、前記機械室の駆動手段に基端部を連結し、前記支持アームの下部に巻掛けてから前記格納室の機械室とは反対側の内壁部に先端部を連結した索部材とを備え、前記駆動手段によって索部材を巻取り又は巻戻して、前記支持アームを伸縮させるようにした請求項１に記載の小荷物用昇降装置。
【請求項３】
前記格納室の上部を開閉する蓋体と、前記格納室の内部に立設したガイドレールとを備え、前記支持アームの上端部を蓋体の下面部に連結すると共に前記支持アームの上部をガイドレールにスライド自在に取付け、前記駆動手段で索部材を巻取ることにより、前記支持アームを籠と共に格納室の上方へ突出させて小荷物の出し入れを行なえるようにした請求項２に記載の小荷物用昇降装置。
【発明の詳細な説明】
【技術分野】
【０００１】
本発明は、建物の階上及び階下間で小荷物の揚げ降ろしを行なう小荷物用昇降装置に関するものである。
【背景技術】
【０００２】
図６及び図７を参照しつつ、従来の小荷物用昇降装置１について説明する。図６において、２ａは階上Ａの内壁３ａに沿って床４ａから天井５ａの近傍まで設けた階上側のケーシングで、２ｂは階下Ｂの内壁３ｂに沿って床４ｂから天井５ｂまで設けた階下側のケーシングである。階上側及び階下側のケーシング２ａ，２ｂの前面には、それぞれ小荷物の出し入れ口となる上下スライド式の扉６ａ，６ｂを設け、かつ、各上下スライド式の扉６ａ，６ｂの側方に操作パネル７ａ，７ｂを設けてある。階上側の上下スライド式の扉６ａの上方には、機械室８の扉８ａを設けてある。図７において、９は階上側及び階下側のケーシング２ａ，２ｂ内を昇降する籠である。籠９は、階上側及び階下側のケーシング２ａ，２ｂの左右内側壁に設けたガイドレール１０，１０の相互間にガイドシュー１１を介して摺動自在に取付けてある。ガイドシュー１１にはワイヤロープ１２を連結してあり、機械室８に配置した巻上機１３によってワイヤロープ１２を巻取り又は巻戻すことで籠９が昇降する。１４は階下側のケーシング２ｂの底部に設けた緩衝器である。なお、図６の上下スライド式の扉６ａ，６ｂは、籠９の昇降動作に連動して開閉するようになっており、図７では、便宜上、上下スライド式の扉６ａ，６ｂの開閉機構の図示を省略している。このような従来の小荷物用昇降装置を示す先行技術文献としては、特開２００３−０２６３８０号公報がある。
【０００３】
【特許文献１】特開２００３−０２６３８０号公報
【発明の開示】
【発明が解決しようとする課題】
【０００４】
従来の小荷物用昇降装置１は、例えば複数のフロアに渡って店舗を有する飲食店で使用されている。飲食店では、小荷物用昇降装置１を使用して、料理等が盛り付けられた食器類を厨房から階上又は階下の食堂に搬送し、或いは食堂で取下げられた食器類を階下又は階上の厨房へ搬送する。
【０００５】
しかし、従来の小荷物用昇降装置１は、飲食店の厨房のように、収納棚、調理台、流し台、加熱調理機及び冷蔵庫など、比較的大きな店舗用設備が多数配置されるところに、ケーシング２ａ又は２ｂを設置するため、その設置場所のスペース効率が著しく低下する。
【０００６】
本発明は、斯かる実情に鑑み創案されたものであって、その目的は、スペース効率のよい小荷物用昇降装置を提供することにある。
【課題を解決するための手段】
【０００７】
本発明の請求項１に係る小荷物用昇降装置は、建物の階上と階下の間で小荷物の揚げ降ろしを行なう小荷物用昇降装置であって、建物の階上の床をくりぬいて階下に連通する貫通孔の上に設置した装置本体と、前記装置本体の下部から建物の貫通孔を通して階下へ延び出す伸縮自在の支持アームと、前記支持アームの下部に装着した籠と、前記装置本体に設けられ、前記支持アームを伸縮させる駆動手段とを備えたことを特徴としている。
【０００８】
請求項１に係る小荷物用昇降装置によれば、建物の階上から階下へ小荷物を降ろすときは、建物の階上で装置本体内に収容された籠に小荷物を入れ、駆動手段により支持アームを延ばして籠を階下に降下させる。建物の階下で籠から小荷物を取出したのち、駆動手段により支持アームを退縮させて、籠及び支持アームを階上の装置本体内に収容する。他方、建物の階下から階上へ小荷物を揚げるときは、駆動手段により装置本体から支持アームを延ばして籠を階下に降下させる。建物の階下で籠に小荷物を入れ、駆動手段により支持アームを退縮させて籠を階上へ上昇させ、建物の階上で籠から小荷物を取出す。このように小荷物の昇降を終えたのち、支持アーム及び籠を建物の階上にある装置本体内に格納することで、建物の階下に何も残らず、有効なスペースを生ぜしめる。
【０００９】
本発明の請求項２に係る小荷物用昇降装置は、請求項１に記載の小荷物用昇降装置において、前記装置本体に設けられ、前記支持アーム及び前記籠を格納する格納室と、前記格納室の一側方に設けられ、前記駆動手段を設置する機械室と、前記機械室の駆動手段に基端部を連結し、前記支持アームの下部に巻掛けてから前記格納室の機械室とは反対側の内壁部に先端部を連結した索部材とを備え、前記駆動手段によって索部材を巻取り又は巻戻して、前記支持アームを伸縮させるようにしたことを特徴としている。
【００１０】
請求項２に係る小荷物用昇降装置によれば、従来、格納室の上方に設けていた機械室を格納室の側方に設けることで、階上に設置した装置本体の上方に有効なスペースが生じる。また、機械室を格納室の一側に設けることで、装置本体の占有面積が広くなるのを抑えている。このように格納室の一側に機械室を設けた場合、機械室の駆動手段から支持アームの下部を経由して格納室の機械室とは反対側の内壁部に連結した索部材を、駆動手段によって索部材を巻取り又は巻戻すことで支持アームを伸縮させる。
【００１１】
本発明の請求項３に係る小荷物用昇降装置は、請求項２に記載の小荷物用昇降装置において、前記格納室の上部を開閉する蓋体と、前記格納室の内部に立設したガイドレールとを有し、前記支持アームの上端部を蓋体の下面部に連結すると共に前記支持アームの上部をガイドレールにスライド自在に取付け、前記駆動手段で索部材を巻取ることにより、前記支持アームを籠と共に格納室の上方へ突出させて小荷物の出し入れを行なえるようにしたことを特徴としている。
【００１２】
請求項３に係る小荷物用昇降装置は、格納室の蓋体を支持アームによって持ち上げて格納室を開口させると共に、格納室の上部から籠を突出させた状態で小荷物を出し入れするように構成してある。したがって、階上から階下へ小荷物を降ろしているときや、本小荷物用昇降装置を使用しないときなど、蓋体で格納室の上部を閉塞している状態では、装置本体の高さが低くなる。すなわち、上記の構成よれば、小荷物の出し入れを行なう高さ（概ね１〜１．３ｍ程度）よりも装置本体の高さを低く形成できるから、装置本体の上方に、より一層広いスペースを生ぜしめる。
【発明の効果】
【００１３】
本発明の小荷物昇降装置によれば、小荷物の昇降を終えたのち、支持アーム及び籠を建物の階上にある装置本体内に格納することで、建物の階下に何も残らず、有効なスペースを生ぜしめるという効果が得られる。
【発明を実施するための最良の形態】
【００１４】
以下、図面を参照しつつ本発明を実施するための最良の形態について説明する。
【実施例１】
【００１５】
まず、図１及び図２を参照して本発明の実施例１の小荷物用昇降装置２１ａについて説明する。図１及び図２において、２２は建物の階上Ａに設置した装置本体である。装置本体２２は、図１の如く、階上Ａの床面４ａ及び階下Ｂの天井５ｂをくり抜いて階上Ａ及び階下Ｂを連通させる貫通孔２３の上に設置してある。装置本体２２の正面側には、小荷物の出入口となる上下スライド式の扉２４と、その上方に機械室２５の扉２５ａを設けてある。
【００１６】
２６，２６は装置本体２２の内部から階下Ｂへ延び出すように構成した支持アームである。各支持アーム２６は、図２の如く、横断面形状を略コ字状に形成した複数個のアーム２７ａ〜２７ｄを入れ子状に嵌め合わせて伸縮自在に構成してある。各支持アーム２６の内郭のアーム２７ａ〜２７ｃは、前後の側面部に各々の外側に配設されたアーム２７ｂ〜２７ｄに対して摺接させるガイド輪２８ａ，２８ａ〜２８ｃ，２８ｃを設けてある。最外郭のアーム２７ｄ，２７ｄは、装置本体２２の内壁部に取付てある。
【００１７】
２９，２９は支持アーム２６，２６の内側に配設した索部材（例えばワイヤロープやチェーンなど）である。索部材２９，２９は、下端部を支持アーム２６，２６の最内郭のアーム２７ａ，２７ａに連結してある。
【００１８】
図１において、３０は装置本体２２の機械室２５に設けた駆動手段としての巻上機である。巻上機３０は、索部材２９，２９を巻取り又は巻戻して支持アーム２６，２６を伸縮させるようになっている。
【００１９】
３１は、支持アーム２６，２６の最内郭のアーム２７ａ，２７ａの相互間に取付けた籠である。籠３１は、前面開口の箱形容器である。
【００２０】
なお、図１では図示を省略しているが、装置本体２２と階下Ｂの内壁３ｂ等には、籠３１を昇降させるための操作パネル（図６の操作パネル７ａ，７ｂ参照）を設けてある。
【００２１】
第１実施形態の小荷物用昇降装置２１ａは、上記如く構成され、巻上機３０により索部材２９，２９を巻取り又は巻戻して支持アーム２６，２６を伸縮させることで、籠３１を昇降させるようになっている。そして、支持アーム２６，２６を退縮させて籠３１と共に装置本体２２の内部に格納すると、建物の階下Ｂには何も残らない。したがって、建物の階下Ｂに有効なスペースが生じる。すなわち、籠３１は、階下Ｂの床４ｂから１〜１．５ｍ程度の高さまで降ろせれば十分であるから、それ以下の高さであれば、貫通孔２３の真下に籠３１の最下限の高さよりも低い作業台や収納棚その他の器物を配置したり、荷物置き場にすることができる。
【００２２】
なお、実施例１では、索部材２９，２９の巻取り又は巻戻しによって支持アーム２６，２６を伸縮させるようにしたが、支持アーム２６，２６を油圧シリンダで構成してその油圧調整で伸縮させるようにしても構わない。
【実施例２】
【００２３】
次に、図３乃至図５を参照しつつ本発明の実施例２について説明する。実施例２の小荷物用昇降装置２１ｂは、図３及び図４の如く、装置本体２２の機械室２５を、支持アーム２６，２６及び籠３１を格納する格納室３２の側方に設け、装置本体２２の高さを低く形成した点で、実施例１の小荷物用昇降装置２１ａと相違している。以下、実施例１の小荷物用昇降装置２１ａとの相違点を中心に実施例２の小荷物用昇降装置２１ｂについて説明する。
【００２４】
装置本体２２は、図３及び図４の如く、支持アーム２６，２６及び籠３１を格納する格納室３２を有し、この格納室３２の側方に機械室２５を設けてある。格納室３２は、図３及び図５の如く、装置本体２２の上部に設けた蓋体３３によって開閉可能になっている。蓋体３３は、矩形平板の前側辺部から下方へ舌片３３ａを突設した部材であって、格納室３２の上側開口部と、格納室３２の前面上部に形成した小荷物の出入口となる切欠部３２ａとを閉塞可能に構成してある。また、蓋体３３の下面部には、支持アーム２６，２６の上端部を連結してある。
【００２５】
各支持アーム２６，２６は、図４の如く、アーム２７ａ，２７ａの開口部を内側へ向けると共に、他のアーム２７ｂ，２７ｂ〜２７ｄ，２７ｄの開口部を外側へ向けた状態で、入れ子状に嵌め合わせて伸縮自在に構成してある。最内郭のアーム２７ａ，２７ａは、図３乃至図５の如く、各々の外側面部に設けたスライドブッシュ３４，３４を介して格納室３２の左右内壁面近傍に立設したガイドレール３５，３５に摺動自在に取付けてある。また、最内郭のアーム２７ａ，２７ａは、図３及び図５（ａ）（ｂ）の如く、各々の上端部を蓋体３３の下面部に連結してある。支持アーム２６，２６の下端部となる最外郭のアーム２７ｄ，２７ｄは、その相互間に籠３１を取付けてある。また、最外郭のアーム２７ｄ，２７ｄは、各々の下端部に索部材２９を巻掛ける滑車３６，３６を取付けてある。
【００２６】
索部材２９は、基端部を機械室２５に設けた巻上機３０に接続すると共に、中間部を機械室２５側のガイドレール３５の上部に設けた滑車３７ａ，３７ｂ及び支持アーム２６，２６の下端部に設けた滑車３６，３６に巻掛けて、先端部を格納室３２の機械室２５とは反対側に立設したガイドレール３５の上部に接続してある。
【００２７】
実施例２の小荷物用昇降装置２１ｂは、上記の如く、格納室３２の側方に機械室２５を設け、かつ、格納室３２の上部から籠３１を突出させて小荷物を出し入れするようにしたから、装置本体２２を小荷物の出し入れ位置よりも低く形成できる。また、索部材２９を上記の如く配設したから、格納室３２の片側に機械室２５を設けるだけで、一対の支持アーム２６，２６を伸縮させることができ、装置本体２２の幅寸法を抑制できる。また、装置本体２２を小型に構成できるから、本小荷物用昇降装置２１ｂを設置する際に、建物内への装置本体の搬入を容易に行なえる。
【図面の簡単な説明】
【００２８】
【図１】図の左側部分は、本発明の実施例１を例示する正面図で、右側部分は同縦断正面図ある。
【図２】図１のＸ−Ｘ線断面図である。
【図３】本発明の実施例２を例示する正面図で、図の左側部分は、支持アームを伸ばした状態で、右側部分は、支持アームを退縮させた状態を示している。
【図４】図３のＹ−Ｙ線断面図であって、図３の左図に対応する横断面図である。
【図５】（ａ）図及び（ｂ）図は、図３のＺ−Ｚ線断面図であって、（ａ）図は図３の左図に対応する縦断側面図で、（ｂ）図は図３の右図に対応する縦断側面図である。
【図６】従来例を示す正面図である。
【図７】従来例を示す縦断正面図である。
【符号の説明】
【００２９】
３ａ，３ｂ    建物の内壁
４ａ，４ｂ    建物の床
５ａ，５ｂ    建物の天井
２１ａ，２１ｂ       小荷物用昇降装置
２２          装置本体
２３          貫通孔
２５          機械室
２６，２６    支持アーム
２９，２９    索部材
３０          駆動手段としての巻上機
３１          籠
３２          格納室
３３          蓋体
３４，３４    スライドブッシュ
３５，３５    ガイドレール
３６，３６，３７ａ，３７ｂ  滑車
【図１】
2005162418.tif 000003
【図２】
2005162418.tif 000004
【図３】
2005162418.tif 000005
【図４】
2005162418.tif 000006
【図５】
2005162418.tif 000007
【図６】
2005162418.tif 000008
【図７】
2005162418.tif 000009